(57)【要約】【課題】精度よく又セキュリティーの高い盗難防止装置を提供する。【解決手段】少なくとも一方に投光系を備えた光センサと、他方に前記投光系からの出力を受光する受光系を備えた光センサを、扉を介在して該投光系と受光系が対向するように配置し、投光系からの出力の有無を受光系が検知して扉の開閉状態を検知することで、確実に扉の開閉状態を認識でき、扉が開いた場合には警報器を作動して警報を行うことで、セキュリティーの信頼性が大幅に向上する。【選択図】        図１
2004220379.tif 000002
【特許請求の範囲】
【請求項１】
少なくとも投光系を備えた光センサと、前記投光系からの出力を受光する受光系を備えた光センサを、扉を介在して該投光系と受光系が対向するように配置し、投光系からの出力の有無を受光系が検知して扉の開閉を検知する開閉検知装置。
【請求項２】
前記光センサは、ともに投光系と受光系を備え、互いの投光系と受光系が対向するように配置されている請求項１記載の開閉検知装置。
【請求項３】
前記光センサは、少なくとも一方が扉に取り付けられている請求項１又は２に記載の開閉検知装置。
【請求項４】
前記対向した投光系と受光系に介在する扉の介在部分が投光系からの出力を透過する素材、または空間から構成されている請求項１乃至３のいずれかに記載の開閉検知装置。
【請求項５】
前記投光系からの出力を受光系が検知出来なかった際に、発報する警報手段を備えた請求項１乃至４のいずれかに記載の開閉検知装置を備えた盗難防止装置。
【発明の詳細な説明】
【０００１】
【発明の属する技術分野】
本発明は、扉の開閉状態を検知する扉用開閉検知装置、及び扉用開閉検知装置の検知結果に基づき警報報知する盗難防止装置に関する。
【０００２】
【従来の技術】
近年、扉や窓などが開かれたことを検知して発報する警報装置が使用されるようになってきている。
【０００３】
ところで、扉の開閉情報を得るには、扉の開閉状態を何等かの手段で検知し、これを信号の形にする必要がある。この扉や窓の開閉検知装置としては、扉と扉枠のいずれか一方にリードスイッチおよび他方に磁石を配置して扉の開閉によりリードスイッチが作動して扉の開閉状態を検知する磁気を使用する磁気センサ方式（特許文献１および特許文献２）や、また発光素子から放射された光を受光素子に入射させることにより扉の開閉状態を検知する光センサ方式があり、この光センサ方式には扉および扉枠に発光素子と受光素子を対向するよう配置したものや（特許文献３）、扉および扉枠のいずれか一方側に発光素子と受光素子とからなる検知手段を配置するとともに他方に平坦な反射板を配置し、発光素子から放射された光を反射板で反射させて受光素子に入射させるもの（特許文献４）が考えられている。
【０００４】
【特許文献１】
実開昭５５−１３４６８７号公報
【０００５】
【特許文献２】
特開平０２−１７０２９８号公報
【０００６】
【特許文献３】
特開昭６０−２３５２９７号公報
【０００７】
【特許文献４】
実開平０６−３６１７７号公報
【０００８】
【発明が解決しようとする課題】
しかしながら、このような従来の開閉検知装置にあっては次のような問題があった。すなわち、リードスイッチと磁石との組合せで代表される磁気センサ方式を採用したものにあっては、振動によって誤動作したり、磁気の強弱によって動作範囲が異なったりするなどの問題があった。防犯用の扉用開閉検知装置としては、場合によっては別の磁石をリードスイッチに近づけることで、扉を開くことができセキュリティーの信頼性に欠ける問題があった。
【０００９】
また、光センサ方式として、扉および扉枠に発光素子と受光素子を対向するよう配置した光センサでは、扉の開く方向への移動距離に基づいて受光系が受光する出力の変化を検知して扉の開閉状態を判断するため、この移動距離での出力の変化を検知するのは難しく、誤作動を生じる場合がある。また、この光センサを扉の室外側に配置した場合には、発光素子と受光素子との隙間より別の発光素子を近づけることで、受光素子が光を検知した状態にして扉を開くことができセキュリティーの信頼性に欠ける問題が生じ、また扉の室内側に光センサを配置した場合では、警報が室外側に聞こえづらいため、警報器を室外側に向けて別途配置しなければならず、コンパクト化出来ない。また、扉および扉枠のいずれか一方に発光素子と受光素子とからなる検知手段を配置するとともに他方に平坦な反射板を配置し、発光素子から放射された光を反射板で反射させて受光素子に入射させることによって扉の閉状態を検知するようにしている光センサ方式を採用したものにあっては、反射板の角度の制御が厳しく、扉の開閉による反射板の形状の変化により反射角度が変わり、光センサが誤作動してしまう問題がある。
【００１０】
また、磁気センサや光センサを扉と扉枠に配置すると、スライド扉などの複数枚の扉では扉ごとにセンサを配置しなければならず、設置の作業性が悪くなり、コストも上がってしまう。
【００１１】
そこで本発明は、誤動作の発生を防止でき、かつセキュリティーの信頼性に富んだ開閉検知装置および該開閉検知装置を備えた盗難防止装置を提供することを目的としている。
【００１２】
【課題を解決するための手段】
上記目的を達成するために、本発明に係る開閉検知装置は、少なくとも投光系を備えた光センサと、前記投光系からの出力を受光する受光系を備えた光センサを、扉を介在して前記投光系と受光系が対向するように配置し、投光系からの出力の有無を受光系が検知して扉の開閉を検知している。また前記光センサは、ともに投光系と受光系を備え、互いの投光系と受光系が対向するように配置されている。
【００１３】
また、光センサは、前記光センサは、少なくとも一方が扉に取り付けられている。つまり光センサは、扉と扉枠に取り付けられたり、扉と対の扉とに取り付けられて投光系と受光系が対向するように配置されている。
【００１４】
また、前記対向した投光系と受光系に介在する扉の介在部分が投光系からの出力を透過する素材、または空間から構成されている。
【００１５】
さらに、前記開閉検地装置は、投光系からの出力を受光系が検知出来なかった際に、発報する警報手段を備えている。
【００１６】
投光系を備えた光センサと受光系を備えた光センサを扉を間に介して光センサの投光系と受光系を対向するよう配置することで、該光センサ間の隙間から別の投光系を近づけることが出来なくなり、セキュリティーが向上し、また扉が開かれた際には投光系からの出力方向が受光系からずれるため、確実に扉の開放を検知することができる。また、扉を間に介在して対向するように配置されているため、例えば複数枚からなるスライド扉などの扉の重なり部に光センサーを対向するよう配置すれば、一対の光センサにて扉２枚の開閉状態を同時に監視でき、コストが低減されるとともに利便性を高めることができる。扉を間に介在すればよく、光センサの取り付けは扉と扉枠、扉と扉など扉の状況に応じて様々な取り付け形態を用いることができ汎用性がある。また、対向するよう配置されている光センサはともに投光系と受光系を備えることで、さらにセキュリティーの信頼性を高められる。特に警報手段を、受光系を備えた一方の光センサにのみ備えた場合は、この警報手段が侵入者によって破壊されると、扉の開閉状態は検知可能であっても盗難防止として信頼性は低くなるが、光センサがともに投光系と受光系および警報手段を備えることで、一方が破壊されても他方の光センサが発報するため、セキュリティーを大幅に高めることが出来る。
【００１７】
【実施例】
以下、図面を参照しながら本発明の実施例を説明する。
【００１８】
図１は本発明に係る実施例１の扉開閉検知装置を備えた盗難防止装置をスライド扉に配置した断面図である。図２は実施例１のスライド扉を開いた外観図を示す。図３は本発明に係る実施例２の断面図を示す。図４は本発明に係る実施例３の断面図を示す。
（実施例１）
実施例１の盗難防止装置は、図１に示すように、光センサの投光系として発光素子５、受光系として受光素子６を互いに対向するように、扉を間に介在して配置される。前記発光素子５は発信機１に、受光素子６は受信機２に設置されている。そして、受信機２には受光素子６が発光素子５からの出力を受光できなかった際に発報する警報手段が設けられている。また、受信機２には警戒状態を表示する表示部８やリモコンなどの外部からの警戒状態の設定、解除指令を受信する受信部９が設けられている。
【００１９】
扉はスライド式や開き戸式の扉が用いられ、赤外線などの光を透過する材質、ガラスや透明な樹脂などからなり、また赤外線を透過しない材質からなる場合、例えば木材などからなる場合は、扉における対向するように配置された発光素子と受光素子の間の介在部分を前述の赤外線などの光を透過する材質で形成し、また貫通孔を設け空間部を形成し、発光素子からの出力を受光素子が受光できるように構成している。なお、扉の一部のみ発光素子からの出力を受光素子が受光できるように構成すると、扉が開かれた場合には他の透過しない部分が発光素子からの出力を確実に遮断するため更に確実に開放状態を検知できる。そして扉は商品陳列用の小型のショーケースや、出入り口用などの大型の扉などに用いられる。実施例１では図１に示すように、扉は複数からなるスライド扉を用い、この複数のスライド扉３の重なり部４を介在して発光素子５と受光素子６が対向するように取り付けられている。つまり、スライド扉３の一方の扉には発光素子５を備えた発信機１を取り付け、他方の扉には受光素子６を備えた受信機２を取り付け、発光素子５と受光素子６をスライド扉３の重なり部４を間に介在して対向するように配置されている。発光素子５と受光素子６は扉の重なり部上方、下方などスライド扉３の重なり部内であれば任意の位置に配置でき、発信機１及び受信機２の一部は、例えば扉への取り付け部分が扉の重なり部内でなくてもよい。
【００２０】
発信機１は、発光素子５としてパルス信号を発する発光ダイオードと、発光ダイオードを点灯させるための駆動回路および電源から構成される。受信機２は受光系として前記発光ダイオードからパルス信号を受光する受光素子６と、リモコンからの警戒状態の設定、解除のパルス信号を受信する受信部９と、前記受光素子６およびリモコンからのパルス信号を処理する信号処理部と、信号処理部の指示により発光ダイオードを点灯させる表示部８と、前記信号処理部の指示により発報する警報器７とから構成されている。
【００２１】
上述のように構成される盗難防止装置は、次のようにしてスライド扉３の開閉状態を識別し、警報器７の作動を制御している。スライド扉３が閉まっている場合は、発信機１の発光ダイオードと受信機２の受光素子６がスライド扉３の重なり部４を介して互いに対向するよう配置されており、発光ダイオードからのパルス信号を受光素子６は受光しており、このパルス信号の受光を信号処理部が認識して、つまりパルス信号受光＝スライド扉３は閉まっている状態と判断する。これにより信号処理部から表示部８に指令が発せられ、表示部８の発光ダイオードを点灯させる。つまり信号処理部は発光ダイオードを点灯させることで、スライド扉３が閉まっていることを表示している。そして信号処理部はパルス信号受光と認識した際には警報器７には指令を発さない設定となっている。
【００２２】
次にスライド扉３が図２の矢印の方向に開かれた場合は、発光ダイオードと受光素子６との対向位置がずれるため、受光素子６に受光される発光ダイオードからのパルス信号は受光されず、このパルス信号受光無しを認識して、つまりパルス信号受光無し＝スライド扉３は開かれている状態と判断する。これにより信号処理部から表示部８に指令が発せられ、表示部８の発光ダイオードを点滅させる。つまり信号処理部は発光ダイオードを点滅させることで、スライド扉３が開いていることを表示している。同時に信号処理部から警報器７に指令が発せられ、警報器７を作動させて発報を行う。なお、スライド扉の他方側が開かれた場合も同様である。
【００２３】
次に上述の開閉検知による警戒体制の設定方法について説明する。まず、発信機１の発光ダイオードから発信されるパルス信号は図示しない発信機１のスイッチを入れることで常時ｏｎとなる。この状態で一旦スライド扉３が閉まり、発信機１の発光ダイオードと受信機２の受光素子６が対向状態となり、受光素子６が発光ダイオードからのパルス信号を受光し、信号処理部がスライド扉３の閉状態を認識するとスライド扉３の警戒体制が始まる。つぎにこの警戒体制の解除方法として、リモコンなどの外部からの信号により解除される。このリモコンは警戒解除用のセットボタンを有し、ボタンを押すことにより、解除用の信号を発信させる発信部を備えている。このリモコンからの解除用の信号を受信機２に設けられた受信部９が受信すると、信号処理部は警戒の解除指令と判断し、信号処理部は警戒解除の指令を発し、前記受光素子６は受光せず、信号処理部は開閉状態を判断しない無警戒状態となる。なお、警戒状態では表示部８の発光ダイオードは点灯又は点滅しており、警戒解除された状態では表示部８の発光ダイオードは消灯される設定としているが、任意に変更できる。
【００２４】
なお、本発明の実施例として盗難防止装置として説明してきたが、警報器７をはずして扉の開閉検知装置としてもよい。また、実施例として投光系の出力としてパルス信号を用いて説明したが、パルス信号に代えて赤外線を放射し、信号処理部はこの赤外線の受光量の変化を認識してスライド扉の開閉状態を検知する構成であってもよい。
【００２５】
（実施例２）
次に本発明の実施例２として、図３に示すように、スライド扉３の重なり部４に光センサとして発光素子５と受光素子６を備えた受発信機１０と同じく光センサとして投光系と受光系を備えた受発信機１０を、受発信機１０の互いの投光系と受光系を対向するように配置することもできる。そして各々の受発信機１０には警報器７がそれぞれ設けられ、各受光素子６はスライド扉３の開閉状態をそれぞれ検知しているため、検知精度は向上し、また一方の受光素子６に対向する発光素子からの出力が受光されないと警報器７が作動するためセキュリティーの信頼性を高められる。
【００２６】
（実施例３）
実施例１及び実施例２では複数枚からなるスライド扉の重なり部４を間に介在して投光系と受光系を対向するように配置されたもの用いたが、本発明の実施例３では図４に示すように、扉の介在部分がスライド扉などの重なり部ではないものとして、扉枠１１とスライド扉３とに開閉検知装置を取り付けたものを説明する。扉枠側に発信機１をスライド扉側に受信機２を両面テープなどで取り付けられ、発信機１が有する発光素子５と受信機２が有する受光素子６が、スライド扉３における閉状態での扉枠との近傍付近を間に介在して対向するよう配置されている。発信機１はその発光素子５がスライド扉表面に露出するように扉枠１１に取り付け、該発光素子５に受光素子６が対向するように受信機２をスライド扉３に取り付けている。なお、発信機をスライド扉に受信機を扉枠に取り付けてもよい。なお、前記扉枠１１に代えてスライド扉を用いた場合も同様である。つまり同軸上にある複数のスライド扉では、一方の扉に発光素子を備えた発信機を、他方の扉に受光素子を備えた受信機を各スライド扉間の合わせ部付近に取り付け、発信機の発光素子に対向する位置まで受信機を延長し、この対向する位置に受光素子を配置している。このようにすれば、一方の扉が開かれると発光素子と受光素子がずれるため、複数扉を一対の光センサで容易にその開閉状態を監視できる。
【００２７】
【発明の効果】
以上のように、本発明によれば、投光系を備えた光センサと受光系を備えた光センサを扉を間に介して光センサの投光系と受光系を対向するよう配置することで、該光センサ間の隙間から別の投光系を近づけることが出来なくなり、セキュリティーが向上し、また扉が開かれた際には投光系からの出力方向が受光系からずれるため、確実に扉の開放を検知することができる。また、扉を間に介在して対向するように配置されているため、例えば複数枚からなるスライド扉などの扉の重なり部に光センサーを対向するよう配置すれば、一対の光センサにて扉２枚の開閉状態を同時に監視でき、コストが低減されるとともに利便性を高めることができる。
【図面の簡単な説明】
【図１】本発明に係る実施例１の扉開閉検知装置を備えた盗難防止装置をスライド扉に配置した断面図である。
【図２】実施例１におけるスライド扉を開いた外観図である。
【図３】本発明に係る実施例２の扉開閉検知装置を備えた盗難防止装置をスライド扉に配置した断面図である。
【図４】本発明に係る実施例３の扉開閉検知装置を備えた盗難防止装置を扉枠とスライド扉に配置した断面図を示す。
【符号の説明】
１    発信機
２    受信機
３    スライド扉
４    重なり部
５    発光素子
６    受光素子
７    警報器
８    表示部
９    リモコン受信部
１０  受発信機
１１  扉枠
【図１】
2004220379.tif 000003
【図２】
2004220379.tif 000004
【図３】
2004220379.tif 000005
【図４】
2004220379.tif 000006